(57)【要約】【課題】  本発明は、コンサートなどでスピーカーで大音量を発生させたときに弦楽器に設けられた共鳴部の振動を原因とするハウリングの防止を課題とする。また、１つの弦楽器で音色を変化させることを課題とする。また、アコースティックギターであってもエレクトリックギターであっても、共鳴部を設けた楽器でありながら、コンサートなどの際に、楽器本体を共鳴部の振動によるハウリングが生じくい構造に変化させることを可能にする弦楽器を提供することを目的とする。さらに本発明は、１つのエレクトリックギターで中空と木単板の異なる楽器が持つ別の音色を出すことができるエレクトリックギターを提供することを目的とする。【解決手段】  弦を振動させることにより共鳴部が振動する弦楽器であって、共鳴部の振動を制御するための手段が設けられている。【選択図】  図１
2006017944.tif 000002
【特許請求の範囲】
【請求項１】
弦を振動させることにより共鳴部が振動する弦楽器であって、共鳴部の振動を制御するための手段が設けられていることを特徴とする楽器
【請求項２】
振動を制御する手段は、共鳴部を圧迫する圧迫装置である請求項１記載の楽器
【請求項３】
圧迫装置は、共鳴部を部分的に圧迫する請求項２記載の楽器
【請求項４】
圧迫装置は、共鳴部を圧迫する強さを変化させる手段を備えている請求項２又は請求項３記載の楽器
【請求項５】
圧迫装置は、共鳴部を圧迫する強さを連続的に変化させる手段を備えている請求項３又は請求項４記載の楽器
【請求項６】
圧迫装置は、共鳴部に接することにより直接的に共鳴部を圧迫する圧迫部材を有し、この圧迫部材は、共鳴部を圧迫できるように共鳴部方向に前進可能であると共に共鳴部から離れるまで後退可能に装着されている請求項２乃至請求項５記載の楽器
【発明の詳細な説明】
【技術分野】
【０００１】
本発明は、ギター、バイオリンあるいはベース等の弦楽器に関する。
【背景技術】
【０００２】
電気装置を用いず生の音で演奏するアコースティックギター等の弦楽器では、音をより遠くに伝達するために、空気振動を大きくする目的でボディを中空にして共鳴部を設けた構造が多く採用されている。そして、弦振動を空気振動に変換する部分は共鳴部であって、振動しやすくする目的で薄い木材等で作られている場合が多い（例えば、特許文献１参照。）。一方、主に弦の振動を電気信号に変換することを目的に作られるエレクトリックギター等のボディは３０ｍｍ以上の厚めの木単板等を削り出して作られるものが多く共鳴部を有していない。このような木単板のエレクトリックギター等は、弦の振動を一度電気信号に変換し、再びスピーカーから空気振動として音を発生させる構成を有する（例えば、特許文献２）。
【特許文献１】特開平１１−１４３４５４号公報
【特許文献２】特開２００３−３３０４６６号公報
【発明の開示】
【発明が解決しようとする課題】
【０００３】
本発明は、コンサートなどでスピーカーを用いて大音量を発生させたときに弦楽器に設けられた共鳴部の振動を原因とするハウリングの防止を課題とする。また、１つの弦楽器で音色を変化させることを課題とする。前述したように、アコースティックギター等のようにボディが中空の弦楽器は共鳴部を有しているので、コンサートなどでマイクを使用して演奏する際、スピーカーから発生する音により共鳴部が振動してハウリングを引き起こすことがある。これに対して、木単板でボディが形成されたエレクトリックギター等は共鳴部を有しておらず、楽器本体はわずかしか振動しないので共鳴部の振動を原因とするハウリングは生じにくい。
【０００４】
共鳴部を有する弦楽器であっても発生する音が大きくなければハウリングを生じることはない。しかし、コンサートなどで演奏する際、スピーカーから大音量で発音すること求められる場合には、スピーカーから発生する音が共鳴部を振動させることによってハウリングを引き起こし、演奏に支障を来すことがある。そこで本発明は、アコースティックギター等であってもエレクトリックギター等であっても、共鳴部を設けた弦楽器でありながら、コンサートなどの際に、楽器本体を共鳴部の振動によるハウリングが生じくい構造に変化させることを可能にする弦楽器を提供することを目的とする。
【０００５】
前述したとおり共鳴部を有する弦楽器であっても発生する音が大きくなければハウリングを生じることはないので、ボディが中空のエレクトリックギター等も存在している。ボディが中空と木単板のエレクトリックギター等とでは音色が異なるので、コンサートなどで演奏する際に楽曲に適したエレクトリックギター等を選択する必要がある。そのために従来は中空と木単板の２種類のエレクトリックギター等を持参し、楽曲ごとに持ち替えなければならなかった。そこで本発明は、１つのエレクトリックギター等で中空と木単板の異なる楽器が持つ別の音色を出すことができるエレクトリックギター等を提供することを目的とする。
【課題を解決するための手段】
【０００６】
本発明の請求項１は、弦を振動させることにより共鳴部が振動する弦楽器であって、共鳴部の振動を制御するための手段が設けられている構成である。請求項２は、振動を制御する手段が、共鳴部を圧迫する圧迫装置である要素が請求項１に限定的に付加された構成である。請求項３は、圧迫装置が、共鳴部を部分的に圧迫する要素が請求項２に限定的に付加された構成である。請求項４は、圧迫装置が、共鳴部を圧迫する強さを変化させる手段を備えている要素が請求項２又は請求項３に限定的に付加された構成であり、請求項５は、圧迫装置が、共鳴部を圧迫する強さを連続的に変化させる手段を備えている要素が請求項３又は請求項４に限定的に付加された構成である。
【０００７】
請求項６は、圧迫装置が、共鳴部に接することにより直接的に共鳴部を圧迫する圧迫部材を有し、この圧迫部材は、共鳴部を圧迫できるように共鳴部方向に前進可能であると共に共鳴部から離れるまで後退可能に装着されている要素が請求項２乃至請求項５に限定的に付加された構成である。
【発明の効果】
【０００８】
請求項１は、弦を振動させることにより共鳴部が振動する弦楽器であって、共鳴部の振動を制御するための手段が設けられている構成である。したがって、スピーカーで楽器の音を大音量で発するときはハウリングを引き起こす可能性が高いので、共鳴部の振動を制御することによりハウリングの発生を防止することができる。また、前述したようにボディが中空と木単板のエレクトリックギター等とでは音色が異なるので、楽曲に適したエレクトリックギター等を選択する必要がある。そのために中空と木単板の２種類のエレクトリックギター等を用意する必要があった。請求項１は、共鳴部の振動を制御する手段が設けられているので、エレクトリックギターを例にとると、ボディが中空のエレクトリックギター風の音と、ボディが木単板のエレクトリックギター風の音のいずれも出すことができるので、１つのエレクトリックギターで前記２種類のエレクトリックギターを兼ねることができる。
【０００９】
請求項２は、振動を制御する手段が共鳴部を圧迫する圧迫装置である構成である。共鳴部を圧迫する装置は簡単な構造とすることができるので、振動の制御装置を安価に装着することができる。請求項３は、圧迫装置が共鳴部を部分的に圧迫する構成であり、共鳴部を部分的に圧迫する装置はさらに簡単な構造とすることができ、コストの負担をさらに軽減することができる。
【００１０】
請求項４は、圧迫装置が共鳴部を圧迫する強さを変化させる手段を備えている構成である。したがって、圧迫の強さを変化させることにより弦楽器の音色を変化させることができるので演奏の幅を広げることができる。請求項５は、圧迫装置が、共鳴部を圧迫する強さを連続的に変化させる手段を備えている構成である。したがって、音色を微妙に変化させることができる。
【００１１】
請求項６は、圧迫装置は、共鳴部に接することにより直接的に共鳴部を圧迫する圧迫部材を有し、この圧迫部材は、共鳴部を圧迫できるように共鳴部方向に前進可能であると共に共鳴部から離れるまで後退可能に装着されている構成である。したがって、圧迫部材を前進させることによって共鳴部を圧迫するので、圧迫装置を簡単なものにすることができる。また、圧迫部材は共鳴部から離すことができるので、共鳴部は自由に振動することができる。この作業により音質を変えることができ曲の雰囲気に合わせて、演奏者の求める最適な音を発生させることができる。
【発明を実施するための最良の形態】
【００１２】
次に本発明を実施するための最良の形態をボディが中空のエレクトリックギターについて説明する。ギター１のボディ２は中空に形成され、表面板３と裏面板４が対向するように設けられており、弦５は表面板３側に張られている。表面板３はほぼ全体にわたって薄い木材で形成されており、演奏中にこの表面板３が共鳴部として振動する。
【００１３】
裏面板４は木製であって、図２に示すようにブリッジ６の下方に相当する部分は肉厚部７に形成されている。肉厚部７には矩形の貫通孔８が２つ設けられており、この貫通孔８内にそれぞれボルト９が裏面板４側から挿入されている。ボルトの軸部１０はボルト取付け板１１に設けた２つの軸受１２に回動可能に結合している。ボルトヘッド１３および軸部１０に設けたフランジ１４によって、ボルト９が軸受１２から外れることはない。ボルト取付け板１１は裏面板４の表面に形成された凹所１７の中に嵌め込まれ、さらにその上から板状のカバー１５が取り付けられている。
【００１４】
ギターのボディ２およびボルト取付け板１１は木製であるがこれに限定されるものでなく、他の材料、例えば金属やプラスチックであってもよいことは勿論である。ボルト９又はナット１８は金属製のものでもよく、他の材料、例えばプラスチックなどでもよい。また、ナット１８の形状は矩形に限定されるものでなく、円形、菱形あるいは楕円形であってもよいがこれに対応して貫通孔８の形状も変える必要があり、円形の場合はナット１８の回動を阻止するために貫通孔８との間に凹凸の関係を有する係止手段等が必要である。さらに、ボルト取付け板１１およびカバー１５のボディへの取付けは木ネジ１６を用いているが、これに限定されるものではなく例えば接着などであってもよい。
【００１５】
各ボルト９の先端部にはそれぞれ有底のナット１８が螺合している。ナット１８が有底のものに限定されないことは勿論である。ナット１８は矩形をなしており、ナット１８の一部は同じ矩形の貫通孔８に緩やかに嵌入されている。したがって、ボルト９を回動することによってナット１８は回動せずボルト９の軸方向に移動可能である。
【００１６】
図２に示すように表面板３のブリッジ６が取り付けられている部分はやや肉厚に形成され、その部分が圧迫受け部１９として作用する。圧迫受け部は肉厚の部分に限定されるものでなく、表面板３の薄い部分であってもよい。その場合は圧迫面積を広くすることが好ましい。演奏中に共鳴部である表面板３を最大限に振動させるときは、図３に示すように両方のナット１８を圧迫受け部１９から離した状態とする。表面板３の振動を抑えようとするときは、ドライバーでボルトヘッド１３を回動してナット１８を前進させ圧迫受け部１９を圧迫する。一方のナット１８のみで圧迫してもよく、両方のナット１８で圧迫することもできる。また、ボルトナットの螺合関係で圧迫するので、圧迫の強さを連続的に変化させることができる。このようにして表面板３の振動を抑えることによりハウリングしにくくなる。実施形態では２つのナット１８を用いているので、１つのナット１８で表面板３を圧迫した状態、２つのナット１８で表面板３を圧迫した状態、および両方のナット１８を表面板１８から離した状態の少なくとも３通りの音色を出すことができる。
【００１７】
実施形態では２個のナット１８が取り付けられているが、ナットは１個だけ取り付けてもよく３箇所以上取り付けてあってもよい。ナットは前述したように圧迫状態に応じて圧迫面積を変えてもよい。また、ナット１８の先端に厚手の板を取り付け、そのようなナット１８を複数個用いて表面板３のほぼ全体を圧迫できる構成であってもよい。
【００１８】
さらに、実施形態ではボルトナットを用いて表面板３を圧迫するが、弾性部材を介在させて弾力的に表面板３を圧迫する構成にしてもよい。ナット１８を用いずにボルト９を回動可能に裏板部４に螺合し、ボルト９を回動することにより前進させて表面板３を圧迫する構成であってもよい。この場合、ボルト９を後退させて表面板３の圧迫を解除できることは勿論であるが、ボルトヘッド１３が裏面板４の表面から突出して邪魔になる。そこで、長さの異なる複数のボルト９を用意し、それらのボルトを常に一杯に差し込んで使用することにより、表面板３に対する圧迫強さを段階的に変化させる構成であってもよい。
【００１９】
表面板３を圧迫する構成はボルトのようなネジ構造を有する部材に限定されないことは勿論であり、表面板３を圧迫した状態で固定できるいかなる構成であってもよい。たとえば、図５に示すようにレバー２０とピストン２１を倍力装置で連結し、レバー２０を回動することによりピストン２１で表面板３を圧迫する構成であってもよい。この場合、ピストン２１の擦動摩擦力をやや大きくすることにより、表面板３を圧迫しないときにピストン２１が自由に擦動することを防止できる。それに代えて、レバー２１とその支持装置２２との間で凹凸の関係によってレバー２１の回動を係止できる構成としてもよい。
【００２０】
実施形態はエレクトリックギターに関するものであるが、本発明の弦楽器はこれに限定されるものでなく例えば、バイオリンやベース、あるいは三味線などであってもよい。
【図面の簡単な説明】
【００２１】
【図１】本発明の斜視図
【図２】ボディを幅方向の線で切断した一部断面図
【図３】ボディを長さ方向の線で切断した一部断面図
【図４】カバーが装着された裏面板の一部正面図
【図５】表面板を圧迫する他の実施例
【符号の説明】
【００２２】
１  ギター
２  ボディ
３  表面板
４  裏面板
５  弦
６  ブリッジ
７  肉厚部
８  貫通孔
９  ボルト
１０  軸部
１１  ボルト取付け板
１２  軸受
１３  ボルトヘッド
１４  フランジ
１５  カバー
１６  木ネジ
１７  凹所
１８  ナット
１９  圧迫受け部
２０  レバー
２１  ピストン
２２  レバーの支持装置
【図１】
2006017944.tif 000003
【図２】
2006017944.tif 000004
【図３】
2006017944.tif 000005
【図４】
2006017944.tif 000006
【図５】
2006017944.tif 000007